(57)【要約】【課題】化粧面材の取り付けを簡便とし、工業製品として品質の良好な壁パネルを提供すること。【解決手段】フレーム枠２の表裏いずれか片側または両側に化粧面材３ａ、３ｂが配設される壁パネル１であって、少なくとも左右２つのフレーム２ｃ、２ｄに外側面から内側面まで貫通する貫通孔４が形成され、化粧面材の裏面側に少なくとも左右２つのフレームの内側面に当接する連結部６が突設され、貫通孔を通じて挿入される固着具によって少なくとも左右２つのフレームと連結部が連結し、化粧面材がフレーム枠に固定されている。【選択図】図１
2008180041.tif 000002
【特許請求の範囲】
【請求項１】
少なくとも上フレーム、下フレーム、左フレームおよび右フレームの４つのフレームから矩形形状に組み上げられたフレーム枠の表裏いずれか片側または両側に化粧面材が配設される壁パネルであって、少なくとも左右２つのフレームに外側面から内側面まで貫通する貫通孔が形成され、化粧面材の裏面側に少なくとも左右２つのフレームの内側面に当接する連結部が突設され、貫通孔を通じて挿入される固着具によって少なくとも左右２つのフレームと連結部が連結し、化粧面材がフレーム枠に固定されていることを特徴とする壁パネル。
【請求項２】
連結部が板体であることを特徴とする請求項１に記載の壁パネル。
【請求項３】
連結部は片状の連結金具であることを特徴とする請求項１に記載の壁パネル。
【請求項４】
化粧面材の裏面の四周に、少なくとも上連結フレーム、下連結フレーム、左連結フレームおよび右連結フレームの４つの連結フレームから矩形形状に組み上げられた連結フレーム枠が配設され、少なくとも左右２つの連結フレームの内側面に連結金具が一端部において固定され、他端部が連結フレームより化粧面材の裏面側に突出し、連結金具の端部にフレーム枠の貫通孔に重合する連結孔が形成されていることを特徴とする請求項３に記載の壁パネル。
【発明の詳細な説明】
【技術分野】
【０００１】
本発明は、壁パネルに関する。
【背景技術】
【０００２】
従来、住宅の水廻り空間、特にバスルームに施工される壁パネルは、表面のみに化粧面材が取り付けられ、化粧仕上げされたものが一般的である。化粧面材の裏面には、補強部材や連結部材が配設されている。このような壁パネルにおいて、化粧面材の取り付けは、通常、接着によって行われているが、剥離や反りなどの経時的な変化を抑え、品質に優れた壁パネルを生産するためには、用いる接着剤の特性、接着剤の均一な塗布、化粧面材の圧着などを留意する必要があった。そこで、簡便に生産することのできる壁パネルの実現が嘱望されている。
【０００３】
たとえば、特許文献１には、隣接する支柱間に横桟を取り付け、両支柱の表裏両側または表面側に面材としての下パネルと上パネルを取り付けた壁面パネル装置が記載されている。
【特許文献１】特開平１１−５０５６７号公報
【発明の開示】
【発明が解決しようとする課題】
【０００４】
具体的には、上記特許文献１に記載された壁面パネル装置は、下パネルの両側に形成された係合縁のＵ字状溝を、支柱の両側に位置する各保持部の係合部に弾性的に嵌合させ、下パネルの下部を支柱の下端部とアジャスター部材に取り付けたパネル受具によって支持させ、この状態において中間連結具を用いて下パネルの両側上端部を支柱に連結し、さらに上パネルの両側下端部を中間連結具に落としこみ係合させた後、上パネルの上部を支柱の上端部に装着した天連結具によって抜け止めするとともに、左右に隣り合った上パネル同士を連結して装着することによって形成される。
【０００５】
このように、接着剤を用いないいわゆる乾式工法で製造が可能な壁面パネル装置ではあるが、上記からも明らかな通り、上記特許文献１に記載された壁面パネル装置は、間仕切壁を形成する施工現場において組み立てられるのであり、工業生産品として供給されるものではなく、また、施工作業もかなりの手間を有するという問題が指摘される。
【０００６】
本発明は、以上の通りの事情に鑑みてなされたものであり、化粧面材の取り付けを簡便とし、工業製品として品質の良好な壁パネルを提供することを課題としている。
【課題を解決するための手段】
【０００７】
本発明の壁パネルは、上記の課題を解決するために、以下のことを特徴としている。
【０００８】
第１に、少なくとも上フレーム、下フレーム、左フレームおよび右フレームの４つのフレームから矩形形状に組み上げられたフレーム枠の表裏いずれか片側または両側に化粧面材が配設される壁パネルであって、少なくとも左右２つのフレームに外側面から内側面まで貫通する貫通孔が形成され、化粧面材の裏面側に少なくとも左右２つのフレームの内側面に当接する連結部が突設され、貫通孔を通じて挿入される固着具によって少なくとも左右２つのフレームと連結部が連結し、化粧面材がフレーム枠に固定されている。
【０００９】
第２に、上記第１の特徴において、連結部が板体である。
【００１０】
第３に、上記第１の特徴において、連結部は片状の連結金具である。
【００１１】
第４に、上記第３の特徴において、化粧面材の裏面の四周に、少なくとも上連結フレーム、下連結フレーム、左連結フレームおよび右連結フレームの４つの連結フレームから矩形形状に組み上げられた連結フレーム枠が配設され、少なくとも左右２つの連結フレームの内側面に連結金具が一端部において固定され、他端部が連結フレームより化粧面材の裏面側に突出し、連結金具の端部にフレーム枠の貫通孔に重合する連結孔が形成されている。
【発明の効果】
【００１２】
上記第１の発明によれば、矩形形状に組み上げられたフレーム枠の少なくとも左右２つのフレームに形成された外側面から内側面まで貫通する貫通孔を通じて挿入される固着具によって、化粧面材の裏面側に突設された少なくとも左右２つのフレームの内側面に当接する連結部が少なくとも左右２つのフレームに連結されるため、化粧面材は乾式工法でフレーム枠に取り付けることができ、取り付けは簡便であり、工業製品として品質の良好な壁パネルが提供される。
【００１３】
上記第２の発明によれば、上記第１の発明の効果に加え、連結部が板体であるため、固着具による板体とフレーム枠の少なくとも左右２つのフレームとの連結が容易であり、固定強度が十分高くなる。また、浴室などでは、化粧面材の表面に各種器具を取り付けることがあるが、板体は、各種器具を取り付けるための補強材として機能し、板体を有効に活用することができる。
【００１４】
上記第３の発明によれば、上記第１の発明の効果に加え、連結部が片状の連結金具であるので連結部の形成が容易である。
【００１５】
上記第４の発明によれば、連結金具は、化粧面材の裏面の四周に配設された連結フレーム枠の少なくとも左右２つの連結フレームの内側面に一端部が固定され、他端部が連結フレームより化粧面材の裏面側に突出するので、他端部に形成された連結孔をフレーム枠の貫通孔に重合させることができ、固着具による化粧面材とフレーム枠との固定が確実に行われる。
【発明を実施するための最良の形態】
【００１６】
図１は、本発明の壁パネルの第１の実施形態を示した分解斜視図である。
【００１７】
図１に示した壁パネル１は、フレーム枠２とフレーム枠２の表裏側に配設される化粧面材３ａ、３ｂとを備えている。フレーム枠２は、一定間隔で水平に対向し、長さの等しい上フレーム２ａおよび下フレーム２ｂと、上フレーム２ａおよび下フレーム２ｂの左右の端部において上フレーム２ａおよび下フレーム２ｂに垂直に連結された左フレーム２ｃおよび右フレーム２ｄとを有し、矩形形状に組み上げられている。左フレーム２ｃの上端は、上から下に向かって４５°に切断され、下端は下から上に向かって４５°に切断されている。この４５°の切断に対応して、上フレーム２ａの左端は、上から下に向かって４５°に切断され、下フレーム２ｂの左端は、下から上に向かって４５°に切断されている。上フレーム２ａの左端の切断面と左フレーム２ｃの上端の切断面および下フレーム２ｂの左端の切断面と左フレーム２ｃの下端の切断面を突き合わせ、接合することにより、左フレーム２ｃは、上フレーム２ａおよび下フレーム２ｂに対して直交して連結されている。一方、右フレーム２ｄの上下両端は水平に切断されており、上フレーム２ａと下フレーム２ｂの右端部間で連結されている。
【００１８】
このような上フレーム２ａおよび下フレーム２ｂへの左フレーム２ｃおよび右フレーム２ｄの直交継ぎは、図１に示したフレーム枠２に限定されることはなく、左フレーム２ｃおよび右フレーム２ｄにおいて接合方式を変える必要は必ずしもなく、共通な接合方式を採用することができる。
【００１９】
また、図１に示した壁パネル１では、フレーム枠２の強度を高めるために、上フレーム２ａと下フレーム２ｂの中央部に両フレーム２ａ、２ｂに対して直交する中フレーム２ｅが両フレーム２ａ、２ｂ間に配設されている。中フレーム２ｅは１本のみならず、フレーム枠２の大きさなどに応じて上フレーム２ａと下フレーム２ｂの長さ方向に一定の間隔で設けることができる。
【００２０】
なお、フレーム枠２を形成する上フレーム２ａ、下フレーム２ｂ、左フレーム２ｃおよび右フレーム２ｄは、いずれも、角パイプから形成されている。そして、左フレーム２ｃおよび右フレーム２ｄには、外側面から内側面まで貫通する貫通孔４が形成されている。貫通孔４は、左フレーム２ｃおよび右フレーム２ｄの外側面に形成された、ビス５などの固着具の入口側の外側孔４ａと、左フレーム２ｃおよび右フレーム２ｄの内側面に形成された固着具の出口側の内側孔４ｂとを有し、外側孔４ａは、角パイプである左フレーム２ｃおよび右フレーム２ｄの中空部を通じて内側孔４ｂと連通し、貫通孔４は、左フレーム２ｃおよび右フレーム２ｄの外側面から内側面まで貫通している。
【００２１】
このような貫通孔４は、左フレーム２ｃおよび右フレーム２ｄの上下２箇所に設けられている。もちろん、貫通孔４の数は、化粧面材３ａのフレーム枠２への固定強度などを考慮して適宜に定めることができる。
【００２２】
さらに、図１に示した壁パネル１のフレーム枠２には、貫通孔４が上フレーム２ａにも形成されている。上フレーム２ａの上面に上面孔４ｃが形成され、上面孔４ｃが、上フレーム２ａの下面に形成された図示していない下面孔と、角パイプである上フレーム２ａの中空部を通じて連通し、貫通孔４が形成されている。
【００２３】
壁パネル１においてフレーム枠２の表側に配設される化粧面材３ａは、裏面側に連結部６としての板体６ａが突設されている。板体６ａは、たとえば合板などの木質板から形成することができる。連結部６としての板体６ａは、化粧面材３ａの裏面側において左右両側に２つ突設されており、一方の板体６ａは、フレーム枠２の上フレーム２ａ、左フレーム２ｃ、下フレーム２ｂおよび中フレーム２ｅにより囲まれる矩形形状の中空部７ａに一致または略一致する形状に形成され、板体６ａの左側面は左フレーム２ｃの内側面に当接可能とされている。他方の板体６ａは、上フレーム２ａ、右フレーム２ｄ、下フレーム２ｂおよび中フレーム２ｅにより囲まれる矩形形状の中空部７ｂに一致または略一致する形状に形成され、板体６ａの右側面は右フレーム２ｄの内側面に当接可能とされている。
【００２４】
壁パネル１において化粧面材３ａをフレーム枠２の表側に取り付ける際には、連結部６としての板体６ａを、それぞれ、フレーム枠２の中空部７ａ、７ｂに嵌め込みまたは挿入する。このとき、フレーム枠２は、化粧面材３ａの裏面の四周端部に重合する。この後、左フレーム２ｃおよび右フレーム２ｄに形成された貫通孔４を通じて挿入されるビス５などの固着具によって左フレーム２ｃと板体６ａとを連結するとともに、右フレーム２ｄと板体６ａとを連結する。その結果、化粧面材３ａがフレーム枠２の表側に固定される。
【００２５】
このように、図１に示した壁パネル１では、矩形形状に組み上げられたフレーム枠２の左フレーム２ｃおよび右フレーム２ｄに形成された外側面から内側面まで貫通する貫通孔４を通じて挿入されるビス５などの固着具によって、化粧面材３ａの裏面側に突設された左フレーム２ｃおよび右フレーム２ｄの内側面に当接する連結部６としての板体６ａが左フレーム２ｃおよび右フレーム２ｄに連結されるため、化粧面材３ａは乾式工法でフレーム枠２に取り付けることができ、取り付けは簡便であり、工業製品として品質の良好な壁パネル１が提供される。また、連結部６は板体６ａであるため、ビス５などの固着具による板体６ａとフレーム枠２の左フレーム２ｃおよび右フレーム２ｄとの連結が容易であり、固定強度は十分高い。また、浴室などでは、化粧面材３ａの表面に各種器具を取り付けることがあるが、板体６ａは、各種器具を取り付けるための補強材として機能し、板体６ａを有効に活用することができる。
【００２６】
なお、化粧面材３ａのフレーム枠２への固定強度をさらに高めるためには、上フレーム２ａの上面から下面まで貫通する貫通孔４を通じて挿入されるビス５などの固着具によって、上フレーム２ａと連結部６としての板体６ａを連結させることができる。
【００２７】
また、壁パネル１によっては、間仕切壁などの形成のために、表裏両側に化粧面材３ａ、３ｂが必要となる場合があるが、この場合、裏側の化粧面材３ｂは、たとえば図１に示したように、接着剤８により接着してもよいし、乾式工法が所望される場合には、フレーム枠２の厚さを拡大し、裏側の化粧面材３ｂについても、化粧面材３ａと同様に、裏面側にフレーム枠２の少なくとも左右２つのフレーム２ｃ、２ｄの内側面に当接する板体６ａなどの連結部６を突設し、貫通孔４を通じて挿入されるビス５などの固着具によって左右２つのフレーム２ｃ、２ｄと連結部６とを連結し、化粧面材３ｂをフレーム枠２に固定することもできる。
【００２８】
さらに、左フレーム２ｃ、右フレーム２ｄおよび上フレーム２ａに形成する貫通孔４については、図２にも示したが、左フレーム２ｃおよび右フレーム２ｄの外側面の外側孔４ａの孔径はビス５などの固着具の頭部の大きさより大きくして挿入により固着具が埋没するようにし、内側面の内側孔４ｂの孔径は固着具の頭部の大きさより小さくして十分な固定状態が得られるようにするのが好ましい。外側孔４ａの孔径をビス５などの固着具の頭部の大きさより大きくすることにより、壁パネル１を浴室と浴室に隣接する洗面室との壁を形成する壁パネルとして使用することが可能となる。
【００２９】
この場合の左フレーム２ｃおよび右フレーム２ｄの外側面に形成する外側孔４ａについて示したのが図３＜ａ＞＜ｂ＞の要部正面図である。
【００３０】
図３＜ａ＞に示したように、左フレーム２ｃの外側面に形成する外側孔４ａは、上部にビス５などの固着具の頭部より大きさの大きい円孔部９を有し、円孔部９から下方に狭小で細長い縦長孔部１０が連続している。図３＜ｂ＞に示したように、右フレーム２ｄの外側面に形成する外側孔４ａは、左フレーム２ｃに形成された円孔部９より縦長でやはりビス５などの固着具の頭部より大きさの大きい長円孔部１１を有し、長円孔部１１から下方に狭小ではあるが、左フレーム２ｃの外側面に形成された外側孔４ａの縦長孔部１０より長さの短い縦孔部１２が連続している。このように、左フレーム２ｃと右フレーム２ｄにおいて外側孔４ａの形状が異なるのは、壁パネル１を建て込む際の施工作業に基づくものであり、浴室と洗面室の壁構造については、本出願人の先願の特願２００６−３１８９１１号に詳しく説明している。
【００３１】
図４は、壁パネル１を浴室と浴室に隣接する洗面室のコーナー部において接続するためのジョイント材を示した斜視図である。
【００３２】
ジョイント材１３は、浴室および浴室に隣接する洗面室の各コーナー部において床に立設されるものであり、壁パネル１の縦幅に等しい長さを有している。ジョイント材１３は、直交する２つの結合面部１３ａ、１３ｂを有し、下端部には、結合面部１３ａ、１３ｂの裏面側から下方に延びる断面Ｌ字型形状の接続部１３ｃを備えている。接続部１３ｃは、壁パネル１を上方に積み上げる際に、下側のジョイント材１３に上側のジョイント材１３を接続するためのものである。
【００３３】
結合面部１３ａ、１３ｂには、それぞれ、図３＜ａ＞＜ｂ＞に示した壁パネル１の左フレーム２ｃおよび右フレーム２ｄの外側面に形成された外側孔４ａに嵌合して壁パネル１と結合する嵌合部１４としてのダボ１４ａが突設されている。ダボ１４ａが円孔部９または長円孔部１１を通じて外側孔４ａに挿入され、縦長孔部１０または縦孔部１２に嵌合することにより、直交する２つの結合面部１３ａ、１３ｂに壁パネル１が結合し、結合した壁パネル１は、浴室および浴室に隣接する洗面室の各コーナー部において直角に連結される。
【００３４】
なお、図１に示したフレーム枠２の上フレーム２ａの上面に形成する上面孔４ｃについてもその孔径はビス５などの固着具の頭部の大きさより大きくすることが好ましい。これは、固着具を上面孔４ｃに埋没させ、壁パネル１の上に積み上げられる壁パネル１を安定に配置させるための配慮からである。
【００３５】
図５、図６は、それぞれ、本発明の壁パネルの第２の実施形態を示した分解斜視図および要部断面図である。
【００３６】
図５に示した壁パネル１において、図１に示した壁パネル１と共通する部分には同一の符号を付し、その説明を省略する。
【００３７】
図５および図６に示した壁パネル１では、フレーム枠２の表側に配設される化粧面材３ａの裏面の周囲に連結フレーム枠１５が配設されている。連結フレーム枠１５は、少なくとも上連結フレーム１５ａ、下連結フレーム１５ｂ、左連結フレーム１５ｃおよび右連結フレームの４つの連結フレームから矩形形状に組み上げられている。連結フレーム枠１５は、基本的に壁パネル１のフレーム枠２と同様にして形成することができる。上連結フレーム１５ａ、下連結フレーム１５ｂ、左連結フレーム１５ｃおよび右連結フレームの接合方式も適宜採用することができる。また、連結フレーム枠１５の強度を高めるために、上下の連結フレーム枠１５ａ、１５ｂの間に一定の間隔で中連結フレームを配設することもできる。
【００３８】
一方、連結フレーム枠１５の上連結フレーム１５ａ、下連結フレーム１５ｂ、左連結フレーム１５ｃおよび右連結フレームには、貫通孔４は形成されていない。また、連結フレーム枠１５では、上連結フレーム１５ａ、下連結フレーム１５ｂ、左連結フレーム１５ｃおよび右連結フレームの内側面に、連結部６として連結金具１６が配設されている。連結金具１６は片状であり、一端部１６ａにおいて上連結フレーム１５ａ、下連結フレーム１５ｂ、左連結フレーム１５ｃおよび右連結フレームの内側面にビス１７などの固定具によって固定されている。他端部１６ｂは、上連結フレーム１５ａ、下連結フレーム１５ｂ、左連結フレーム１５ｃおよび右連結フレームより化粧面材３ａの裏面側に突出している。他端部１６ｂの端縁部は、化粧面材３ａの内側に向かって直角に折れ曲がり、折れ曲がり部１６ｃにおいて連結金具１６の強度を高めている。また、他端部１６ｂには連結孔１８が形成されている。このような連結金具１６の長さはフレーム枠２の上下のフレーム２ａ、２ｂの間、左フレーム２ｃと中フレーム２ｅとの間および右フレーム２ｄと中フレーム２ｅとの間の長さ以内とされている。
【００３９】
化粧面材３ａをフレーム枠２の表側に配設する際には、連結金具１６をフレーム枠２の中空部７ａ、７ｂに挿入し、他端部１６ｂに形成された連結孔１８を貫通孔４に重合させる。このとき、フレーム枠２は、図６に示したように、化粧面材３ａの裏面の四周の連結フレーム枠１５に重合する。貫通孔４を通じて挿入されるビス５などの固着具によって上フレーム２ａ、下フレーム２ｂ、左フレーム２ｃおよび右フレーム２ｄと連結金具１６とを固定する。その結果、化粧面材３ａがフレーム枠２の表側に固定される。化粧面材３ａは乾式工法でフレーム枠２に取り付けることができ、取り付けは簡便であり、工業製品として品質の良好な壁パネル１が提供される。また、連結部６が片状の連結金具１６であるので連結部６の形成が容易でもある。
【００４０】
なお、図５および図６に示した壁パネル１では、連結金具１６は、連結フレーム枠１５の上連結フレーム１５ａ、下連結フレーム１５ｂ、左連結フレーム１５ｃおよび右連結フレームのそれぞれに配設されているが、本発明の壁パネルでは、連結部６としての連結金具１６は、連結フレーム枠１５の少なくとも左右の２つの連結フレームに配設されていれば、化粧面材３ａのフレーム枠２への固定は可能である。固着具による化粧面材３ａとフレーム枠２との固定が確実に行われる。フレーム枠２の上フレーム２ａおよび下フレーム２ｂにおけるビス５などの固着具による固定は、壁パネル１の大きさや必要とされる固定強度に応じて適宜行えばよい。
【００４１】
また、連結金具１６の他端部１６ｂに形成される連結孔１８は、フレーム枠２の上フレーム２ａ、下フレーム２ｂ、左フレーム２ｃおよび右フレーム２ｄに形成された貫通孔４と重合しやすいように、やや横長の楕円形状とするのが好ましい。
【００４２】
図５および図６に示した壁パネル１でも、間仕切壁などの形成のために、表裏両側に化粧面材３ａ、３ｂが必要となる場合があるが、この場合、裏側の化粧面材３ｂは、たとえば図１に示したように、接着剤８により接着することができる。少なくとも表側の化粧面材３ａが乾式工法でフレーム枠２に取り付けられているので、壁パネル１の強度計算が容易となり、信頼性の高い壁の形成が可能となる。
【００４３】
なお、表裏両側に化粧面材３ａ、３ｂが取り付けられた壁パネル１は、他室とを区切る間仕切壁、特に浴室に隣接し、統一感のある連続する部屋として形成する洗面室の壁材として特に有効である。
【図面の簡単な説明】
【００４４】
【図１】本発明の壁パネルの第１の実施形態を示した分解斜視図である。
【図２】図１に示した壁パネルの要部断面図である。
【図３】＜ａ＞＜ｂ＞は、それぞれ、図１に示した壁パネルの左右のフレームの外側面に形成される外側孔の一形態について示した要部正面図である。
【図４】図１に示した壁パネルを用いて浴室および浴室に隣接する洗面室の壁を形成する際にコーナー部において壁パネルを結合し、壁パネルを直角に連結するために用いられるジョイント材の一形態を示した斜視図である。
【図５】本発明の壁パネルの第２の実施形態を示した分解斜視図である。
【図６】図５に示した壁パネルの要部断面図である。
【符号の説明】
【００４５】
１  壁パネル
２  フレーム枠
２ａ  上フレーム
２ｂ  下フレーム
２ｃ  左フレーム
２ｄ  右フレーム
３ａ、３ｂ  化粧面材
４  貫通孔
６  連結部
６ａ  板体
１５  連結フレーム枠
１５ａ  上連結フレーム
１５ｂ  下連結フレーム
１５ｃ  左連結フレーム
１６  連結金具
１６ａ  一端部
１６ｂ  他端部
１８  連結孔
【図１】
2008180041.tif 000003
【図２】
2008180041.tif 000004
【図３】
2008180041.tif 000005
【図４】
2008180041.tif 000006
【図５】
2008180041.tif 000007
【図６】
2008180041.tif 000008